(57)【要約】【課題】本発明は、インクカートリッジのインク容器内に備えるインク保持体１部材を使用したインク供給系全体の負圧制御がなされた、吐出口からのインク漏れがなく生産コストが低減されたインクカートリッジを提供する。【解決手段】インクを収容するインク収容室と、インクを吐出するインク吐出口と、大気開放口と、大気開放口に連通しかつインク収容室に連通する負圧形成室と、負圧形成室に収容される負圧発生部材とを備えたインクカートリッジであって、負圧発生部材は、負圧形成室の内面によって圧縮されていない状態では、負圧発生部材の上面部に垂直方向上方に突出した突出部が一体的に備えられた形状であり、負圧形成室に収容された状態では、突出部が負圧形成室の天板の内面リブによって突出部の周辺にある周辺部よりも強くインク吐出口方向に圧縮された構成にする。【選択図】 図２
2018012228.tif 000002
【特許請求の範囲】
【請求項１】
インクを収容するインク収容室と、前記インクを吐出するインク吐出口と、大気開放口と、前記大気開放口に連通しかつ前記インク収容室に連通する負圧形成室と、前記負圧形成室に収容される負圧発生部材とを少なくとも備え、前記インク吐出口が前記負圧形成室の底部側に設けられ、前記大気開放口へ連通する空気連通部が前記負圧形成室の上部側に設けられたインクカートリッジであって、
前記負圧発生部材は、前記負圧形成室の内面によって圧縮されていない状態では、前記負圧発生部材の上面部に垂直方向上方に突出した突出部が一体的に備えられた形状であり、前記負圧形成室に収容された状態では、前記突出部が前記負圧形成室の天板の内面リブによって前記突出部の周辺にある周辺部よりも強く前記インク吐出口方向に圧縮されていることを特徴とするインクカートリッジ。
【請求項２】
インク及び負圧発生部材を収容する負圧形成室と、前記インクを吐出するインク吐出口と、大気開放口と、前記大気開放口に連通する空気連通部とを少なくとも備え、前記インク吐出口が前記負圧形成室の底部側に設けられ、前記大気開放口へ連通する空気連通部が前記負圧形成室の上部側に設けられたインクカートリッジであって、
前記負圧発生部材は、前記負圧形成室の内面によって圧縮されていない状態では、前記負圧発生部材の上面部に垂直方向上方に突出した突出部が一体的に備えられた形状であり、前記負圧形成室に収容された状態では、前記突出部が前記負圧形成室の天板の内面リブによって前記突出部の周辺にある周辺部よりも強く前記インク吐出口方向に圧縮されていることを特徴とするインクカートリッジ。
【請求項３】
前記負圧発生部材は、前記インク吐出口の垂直方向上方に前記突出部が位置するように配置されることを特徴とする請求項１または２のインクカートリッジ。
【請求項４】
前記負圧発生部材は、前記周辺部が前記突出部に向かって傾斜した形状であることを特徴とする請求項１乃至３のインクカートリッジ。
【発明の詳細な説明】
【技術分野】
【０００１】
本発明は、インクジェット式プリンタに搭載されるインクカートリッジに関し、さらに詳しくは、インクカートリッジ内部に備えるスポンジなどのインク保持体（負圧発生部材）により負圧制御を行うインクカートリッジに関する。
【背景技術】
【０００２】
印刷装置には、印字機構（ヘッド）から記録液であるインクを吐出して記録媒体に記録を行うインクジェット方式と呼ばれるものがある。インクジェット方式の印刷装置では、印字機構に対するインクの供給方式として、交換式インクカートリッジを着脱自在に装着して印字機構に直接インクを供給する方式が知られている。そして、ヘッド機構のインク吸引に追従してインクカートリッジ内のインクが供給されるようにインクカートリッジ内の負圧が制御されている。
【０００３】
インクカートリッジ内の負圧制御の方式として、インクカートリッジのインク室内に毛管力を有するスポンジなどのインク保持体（負圧発生部材）を備えたインクカートリッジが知られており、例えば、特許文献１及び特許文献２が開示されている。
【先行技術文献】
【特許文献】
【０００４】
【特許文献１】特開２０００−３３７１５号公報
【特許文献２】特開２０１５−１４５０８９号公報
【発明の概要】
【発明が解決しようとする課題】
【０００５】
上記のインクジェット記録装置の印字機構は、例えば圧電方式、サーマル方式などが挙げられ、いずれの印字機構であっても、インクジェットヘッドの駆動によるインクの射出と吸引作用によってインクタンクからインクジェットヘッドにインクが供給されるように制御されるが、印字機構によりインクジェットヘッドの駆動力が異なるため、インクジェットヘッドの駆動力に適応したインク供給系全体の負圧制御が必要である。
【０００６】
特許文献１は、インクカートリッジのインク室内にスポンジなどの２つのインク保持体（負圧発生部材）を備え、さらにインク供給口部にもインク保持体を備えて、２つの保持体を界面圧接してインク供給系全体の負圧を制御するとともに、インク供給口部のインク保持体の毛管力によりインク吐出口からのインク漏れを防止するというものである。
【０００７】
特許文献２は、インクカートリッジのインク室内にスポンジなどの１つのインク保持体（負圧発生部材）を備え、さらにインク供給口部にもインク保持体を備えて、インク供給系全体の負圧を制御するとともに、インク供給口部のインク保持体の毛管力によりインク吐出口からのインク漏れも防止するというものである。
【０００８】
上記特許文献１及び特許文献２は、ともにインク室内にインク保持体（負圧発生部材）を備えてインク室内の負圧を制御しかつインク吐出口部に設けたインク保持体（コンタクトフィルター）によりインク吐出口からのインク漏れを防止して、インク供給系全体の負圧を制御するというものであるが、本発明者らの知見によると、複数のインク保持体を設けた場合の負圧制御は、その保持体の界面の圧接面を隙間が生じないように均一に圧接した圧接面を形成することが肝要であるが、複数の保持体をインク容器内へ均一に圧接挿入することが難しく複数のインク保持体の間でシワや隙間が生じてその結果インクパスが生じ、所望の負圧制御ができなく、インク供給過多や吐出口からのインク漏れが生じるという問題がある。特に、インク容器内から外部に突出するインク吐出口部の長さが短いほど上記の問題が生じやすい。また、大きさの異なる複数のインク保持体は生産コストアップにつながるだけでなく、大きさの異なる複数のインク保持体のインク容器内への挿入はそれだけ生産時間を要し生産コストアップにつながるという問題がある。
【０００９】
本発明者は、上記問題点について鋭意研究した結果、インク容器内の負圧制御においてインク吐出口部にコンタクトフィルター（インク保持体）を別部材として用いることなくまた複数のインク保持体（負圧発生部材）を用いることなく、インク容器内の負圧を制御しインク吐出口からのインク漏れが生じることがない、インク容器内に負圧発生部材（インク保持体）を用いた負圧制御構成を見出し本発明に至った。
【００１０】
本発明の目的は、インクカートリッジのインク容器内に備えるインク保持体（負圧発生部材）１部材を使用したインク供給系全体の負圧制御がなされた、吐出口からのインク漏れがなく生産コストが低減されたインクカートリッジを提供することにある。
【００１１】
この目的は、特許請求の範囲における独立項に記載の特徴の組み合わせにより達成される。また、従属項は本発明の更なる有利な具体例を規定する。
【課題を解決するための手段】
【００１２】
即ち、本発明の第１の発明は、インクを収容するインク収容室と、前記インクを吐出するインク吐出口と、大気開放口と、前記大気開放口に連通しかつ前記インク収容室に連通する負圧形成室と、前記負圧形成室に収容される負圧発生部材とを少なくとも備え、前記インク吐出口が前記負圧形成室の底部側に設けられ、前記大気開放口へ連通する空気連通部が前記負圧形成室の上部側に設けられたインクカートリッジであって、前記負圧発生部材は、前記負圧形成室の内面によって圧縮されていない状態では、前記負圧発生部材の上面部に垂直方向上方に突出した突出部が一体的に備えられた形状であり、前記負圧形成室に収容された状態では、前記突出部が前記負圧形成室の天板の内面リブによって前記突出部の周辺にある周辺部よりも強く前記インク吐出口方向に圧縮されていることを特徴とするインクカートリッジである。
【００１３】
本発明の第２の発明は、インク及び負圧発生部材を収容する負圧形成室と、前記インクを吐出するインク吐出口と、大気開放口と、前記大気開放口に連通する空気連通部とを少なくとも備え、前記インク吐出口が前記負圧形成室の底部側に設けられ、前記大気開放口へ連通する空気連通部が前記負圧形成室の上部側に設けられたインクカートリッジであって、前記負圧発生部材は、前記負圧形成室の内面によって圧縮されていない状態では、前記負圧発生部材の上面部に垂直方向上方に突出した突出部が一体的に備えられた形状であり、前記負圧形成室に収容された状態では、前記突出部が前記負圧形成室の天板の内面リブによって前記突出部の周辺にある周辺部よりも強く前記インク吐出口方向に圧縮されていることを特徴とするインクカートリッジである。
【００１４】
本発明の第３の発明は、第１の発明または第２の発明に記載の前記負圧発生部材が、前記インク吐出口の垂直方向上方に前記突出部が位置するように配置されることを特徴とするインクカートリッジである。
【００１５】
本発明の第４の発明は、第１の発明乃至第３の発明に記載の前記負圧発生部材が、前記周辺部が前記突出部に向かって傾斜した形状であることを特徴とするインクカートリッジである。
【発明の効果】
【００１６】
本発明の第１の発明であるインクカートリッジは、インクを収容するインク収容室と、インクを吐出するインク吐出口と、大気開放口と、大気開放口に連通しかつインク収容室に連通する負圧形成室と、負圧形成室に収容される負圧発生部材とを少なくとも備え、インク吐出口が負圧形成室の底部側に設けられ、大気開放口へ連通する空気連通部が負圧形成室の上部側に設けられたインクカートリッジであって、負圧発生部材は、負圧形成室の内面によって圧縮されていない状態では、負圧発生部材の上面部に垂直方向上方に突出した突出部が一体的に備えられた形状であり、負圧形成室に収容された状態では、突出部が負圧形成室の天板の内面リブによって突出部の周辺にある周辺部よりも強くインク吐出口方向に圧縮された構成にしている。本発明は、上記の構成としているので、負圧発生部材が負圧形成室に収納されているときは、負圧発生部材の各外面が負圧形成室の内壁に圧接された状態となる。このとき、負圧形成室の上部の内壁によって負圧発生部材の突出部はその周辺部と比較して強く圧縮されるため、その圧力によって負圧発生部材の底面の一部も強く圧縮される。この圧縮によって負圧発生部材の底面の一部における毛管力が強くなり、インク吐出口近傍における負圧発生部材の負圧が強くなるため、インク吐出口近傍に負圧発生部材を別途備えなくともインク吐出口からのインク漏れを防止することができると共に、負圧発生部材を複数設けるための生産コストアップを無くすことができる。
【００１７】
また、本発明の第２の発明であるインクカートリッジは、インク及び負圧発生部材を収容する負圧形成室と、インクを吐出するインク吐出口と、大気開放口と、大気開放口に連通する空気連通部とを少なくとも備え、インク吐出口が負圧形成室の底部側に設けられ、大気開放口へ連通する空気連通部が負圧形成室の上部側に設けられたインクカートリッジであって、負圧発生部材は、負圧形成室の内面によって圧縮されていない状態では、負圧発生部材の上面部に垂直方向上方に突出した突出部が一体的に備えられた形状であり、負圧形成室に収容された状態では、突出部が負圧形成室の天板の内面リブによって突出部の周辺にある周辺部よりも強くインク吐出口方向に圧縮された構成にしている。本発明は、上記の構成としているので、負圧発生部材が負圧形成室に収納されているときは、負圧発生部材の各外面が負圧形成室の内壁に圧接された状態となる。このとき、負圧形成室の上部の内壁によって負圧発生部材の突出部はその周辺部と比較して強く圧縮されるため、その圧力によって負圧発生部材の底面の一部も強く圧縮される。この圧縮によって負圧発生部材の底面の一部における毛管力が強くなり、インク吐出口近傍における負圧発生部材の負圧が強くなるため、インク吐出口近傍に負圧発生部材を別途備えなくともインク吐出口からのインク漏れを防止することができると共に、負圧発生部材を複数設けるための生産コストアップを無くすことができる。また、小型化にも寄与することができる。
【００１８】
また、本発明の第３の発明であるインクカートリッジは、インク吐出口の垂直方向上方に突出部が位置するように負圧発生部材が配置される構成にしている。本発明は、上記の構成としているので、インク吐出口近傍の負圧発生部材の負圧をより確実に強くすることができる。
【００１９】
また、本発明の第４の発明であるインクカートリッジは、負圧発生部材の上面の周辺部が負圧発生部材の上面の突出部に向かって傾斜した形状である構成にしている。本発明は、上記の構成としているので、負圧発生部材を負圧形成室に収納する際に突出部に水平方向の力が働いても一方向に傾斜することがないので、インク吐出口近傍の負圧発生部材の負圧をより確実に強くすることができる。
【図面の簡単な説明】
【００２０】
【図１】本発明の１実施形態におけるインクカートリッジの断面図である。
【図２】図１におけるインクカートリッジのインクケースのみを断面図とした分解図である。
【図３】図１におけるインクカートリッジに収容される本発明の第１の実施形態の負圧発生部材である。
【図４】本発明の第２の実施形態の負圧発生部材である。
【図５】本発明の第３の実施形態の負圧発生部材である。
【図６】本発明の他の実施形態におけるインクカートリッジの断面図である。
【発明を実施するための形態】
【００２１】
本発明の１実施形態について図面を参照して説明するが、本発明はこの事例に限られるものではなく、適宜選択が可能である。
【実施例１】
【００２２】
図１から図３に示すように、本実施形態のインクカートリッジ１は、インク２を収容するインク収容室１１と、インク２を吐出するインク吐出口１２と、大気開放口２１と、大気開放口２１に連通しかつインク収容室１１に連通する負圧形成室１３と、負圧形成室１３に収容される負圧発生部材１４とを少なくとも備え、インク吐出口１２が負圧形成室１３の底部側に設けられ、大気開放口２１へ連通する空気連通部２３が負圧形成室１３の上部側に設けられたインクカートリッジ１であって、負圧発生部材１４は、負圧形成室１３の内面によって圧縮されていない状態では、負圧発生部材１４の上面部に垂直方向上方に突出した突出部１５が一体的に備えられた形状であり、負圧形成室１３に収容された状態では、突出部１５が負圧形成室１３の天板２０の内面リブ２６によって突出部１５の周辺にある周辺部１６よりも強くインク吐出口１２方向に圧縮された構成となっている。
【００２３】
負圧発生部材１４は例えばスポンジ等の液体吸収体であり、圧縮された状態で負圧形成室１３の内面に全面が密着するように収容される。この時、圧縮された負圧発生部材１４の細孔が小さくなることで吸引力が高くなるので、インク２をインクカートリッジ１の内部に貯留することができるようになる。
【００２４】
また、図３から図５に示すように、負圧発生部材１４の上面に設けられた突出部１５は周辺部１６よりも上方へ突出しているため、負圧形成室１３に収容されたときに周辺部１６と比較して強く圧縮される。この圧縮によって突出部１５の下方部分の吸引力をより強くすることができるので、インク吐出口１２の近傍にコンタクトフィルタ等を新たに設けなくとも適切な負圧を得ることができる。このため、インク吐出口１２の垂直方向上方に突出部１５が位置するように負圧発生部材１４を設定することが望ましく、より有利には、突出部１５の面積をインク吐出口１２の面積よりも広く設定することが望ましい。
【００２５】
さらに、図３から図５に示すように、周辺部１６を突出部１５に向かって傾斜した形状としても良い。この構成にすることで、負圧発生部材１４を負圧形成室１３に収納する際に突出部１５に水平方向の力が働いても一方向に傾斜することがないので、インク吐出口１２近傍の負圧発生部材１４の負圧をより確実に強くすることができる。また、周辺部１６は突出部１５に向かって傾斜していれば平面でも曲面でも良く、突出部１５の形状も周辺部１６に合わせて平面でも曲面でも良い。
【００２６】
負圧発生部材１４の各辺の長さは、負圧形成室１３の対応する内面の長さの１．１倍〜１．３倍、より有利には１．１５倍〜１．２５倍にすることが望ましい。１．１倍よりも小さいと圧縮が弱いため十分な負圧が得られず、また、１．３倍よりも大きいと圧縮時にシワが生じてインク２の保持力が低下する可能性があり、負圧発生部材１４の挿入方法を工夫する必要がある。
【００２７】
負圧形成室１３の天板２０の内面には空気連通部２３が設けられ、負圧形成室１３の天板２０の外面に設けられた大気開放口２１と連通することでインクカートリッジ１の外部から負圧形成室１３へ空気を流入させ、インク吐出口１２からのインク２の吐出に伴う空気の導入を行うことができる。このとき、負圧形成室１３への空気の流入が多いとインク２の吐出量が多過ぎる、もしくはインク漏れとなるため、大気開放口２１と空気連通部２３とを繋ぐ空気連通路２２を細長くする等、空気流入に対する抵抗を適宜設定することが望ましい。
【００２８】
インクケース１０の内部には、負圧形成室１３の隣に仕切り壁１７を介してインク収容室１１が備えられる。このインク収容室１１には負圧形成室１３の天板２０に設けられたインク注入口２４から注入されたインク２が貯留され、仕切り壁１７の下方に設けられた連通路１８を介して負圧形成室１３にインク２を流入させることができ、その際、大気開放口２１から負圧形成室１３へ導入された空気を、連通路１８を介してインク収容室１１へ流入させることができる（気液交換）。なお、インク注入口２４は、インク収容室１１にインク２が注入された後は、インク注入口栓２５によって塞がれる。
【００２９】
インクカートリッジ１をプリンタ（図示せず）に装着する際は、係合部３がプリンタ側係合部（図示せず）に係合することで装着が行われ、レバー４を押すことで係合が解除されてインクカートリッジ１を取り外すことができる構成になっている。そして、装着が完了した後は、回路基板５とプリンタ側回路基板（図示せず）とが電気的に接続され、インクカートリッジ１とプリンタとの間で通信が行われ、印刷等の各種制御が行われるようになる。
【実施例２】
【００３０】
図６に示すように、本実施形態のインクカートリッジ１は、インク２及び負圧発生部材１４を収容する負圧形成室１３と、インク２を吐出するインク吐出口１２と、大気開放口２１と、大気開放口２１に連通する空気連通部２３とを少なくとも備え、インク吐出口１２が負圧形成室１３の底部側に設けられ、大気開放口２１へ連通する空気連通部２３が負圧形成室１３の上部側に設けられたインクカートリッジ１であって、負圧発生部材１４は、負圧形成室１３の内面によって圧縮されていない状態では、略直方体の負圧発生部材１４の上面に垂直方向上方に突出した突出部１５が備えられた形状であり、負圧形成室１３に収容された状態では、突出部１５が負圧形成室１３の内面によって突出部１５の周辺にある周辺部１６よりも強く圧縮される構成となっている。
【００３１】
本実施形態のインクカートリッジ１は、モバイルプリンタに使用できるように小型化したものであり、負圧形成室１３内の負圧発生部材１４にインク２を吸収させることで、インク２を収容するスペースを別途設けない構成としている。また、インク２の注入をインク吐出口１２から行うことにより、インク注入口の配置スペースも省くことができる。
【００３２】
なお、本実施形態においても本発明の負圧発生部材１４が使用されており、負圧発生部材１４を複数設けなくとも適切な負圧が得られるため、インク吐出口からのインク漏れを防止することができる。また、負圧発生部材を複数設けるための生産コストアップを無くすこと、部品点数の削減および小型化に寄与することができる。
【符号の説明】
【００３３】
１…インクカートリッジ
２…インク
３…係合部
４…レバー
５…回路基板
１０…インクケース
１１…インク収容室
１２…インク吐出口
１３…負圧形成室
１４…負圧発生部材
１５…突出部
１６…周辺部
１７…仕切り壁
１８…連通路
２０…天板
２１…大気開放口
２２…空気連通路
２３…空気連通部
２４…インク注入口
２５…インク注入口栓
２６…内面リブ
【図１】
2018012228.tif 000003
【図２】
2018012228.tif 000004
【図３】
2018012228.tif 000005
【図４】
2018012228.tif 000006
【図５】
2018012228.tif 000007
【図６】
2018012228.tif 000008